(57)【特許請求の範囲】
【請求項１】
既設流体管に形成され、該既設流体管から分岐した分岐部が延設された分岐口を不断流状態で閉塞する分岐口閉塞手段であって、
前記既設流体管に連通する筒状部及び該筒状部を開閉可能な開閉部を備え、前記既設流体管の外壁の所定箇所に取付けられる接続部材と、
前記接続部材に取付けられ、前記開閉部を開状態にして前記筒状部内の既設流体管の管壁に穿孔部を穿孔する穿孔手段と、
前記分岐口周囲を取り囲むように前記既設流体管の内壁に当接する環状の第１の当接部を有する後方部材と、前記分岐部の内周面に亘って当接する第２の当接部を持つ先方部材とを備える閉塞体と、から構成されており、
前記先方部材の移動に用いる棒状体は、前記接続部材に取付けられた蓋部に密封状態で挿通され、前記後方部材の移動に用いる筒部は、前記棒状体に密封状態で外嵌されることを特徴とする分岐口閉塞手段。
【請求項２】
前記閉塞体は、前記分岐口に係止して前記第１の当接部を位置決めする係止部を備えていることを特徴とする請求項１に記載の分岐口閉塞手段。
【請求項３】
前記第２の当接部は、設置の際に前記分岐部よりも小径であって、設置の後に外径方向に膨出し前記分岐部の内周面に当接する弾性部材であることを特徴とする請求項１または２に記載の分岐口閉塞手段。
【発明の詳細な説明】
【技術分野】
【０００１】
本発明は、既設流体管に形成され、該既設流体管から分岐した分岐部が延設された分岐口を不断流状態で閉塞する分岐口閉塞手段及び方法に関する。
【背景技術】
【０００２】
従来の分岐口閉塞手段若しくは方法は、既設流体管の外壁の所定箇所に取り付けた接続部材に閉塞体設置手段を設け、この閉塞体設置手段により既設流体管内の分岐口に閉塞体を設置することで、分岐口を密封状に閉塞し、不断流状態で分岐部の一部を除去し交換等を行っている（例えば、特許文献１参照）。
【０００３】
【特許文献１】特開２００７−１７０５２７号公報（第６頁、第６図）
【発明の開示】
【発明が解決しようとする課題】
【０００４】
しかしながら、特許文献１にあっては、閉塞体が先細り状の円錐形に形成されており、閉塞体における分岐口の径に対応する箇所が、分岐口に沿って線状に当接するのみで分岐口を閉塞しているため、特に分岐口の形状が凹凸部を有する場合、閉塞体による確実な密封性を維持できない虞が生じていた。
【０００５】
本発明は、このような問題点に着目してなされたもので、既設流体管との確実な密封状態の下で分岐部を除去等することができる分岐口閉塞手段及び方法を提供することを目的とする。
【課題を解決するための手段】
【０００６】
上記課題を解決するために、本発明の請求項１に記載の分岐口閉塞手段は、
既設流体管に形成され、該既設流体管から分岐した分岐部が延設された分岐口を不断流状態で閉塞する分岐口閉塞手段であって、
前記既設流体管に連通する筒状部及び該筒状部を開閉可能な開閉部を備え、前記既設流体管の外壁の所定箇所に取付けられる接続部材と、
前記接続部材に取付けられ、前記開閉部を開状態にして前記筒状部内の既設流体管の管壁に穿孔部を穿孔する穿孔手段と、
前記分岐口周囲を取り囲むように前記既設流体管の内壁に当接する環状の第１の当接部を有する後方部材と、前記分岐部の内周面に亘って当接する第２の当接部を持つ先方部材とを備える閉塞体と、から構成されており、
前記先方部材の移動に用いる棒状体は、前記接続部材に取付けられた蓋部に密封状態で挿通され、前記後方部材の移動に用いる筒部は、前記棒状体に密封状態で外嵌されることを特徴としている。
この特徴によれば、接続部材に取付けられる閉塞体設置手段により穿孔を通じ既設流体管内部の分岐口に設置される閉塞体が、分岐口周囲の既設流体管の内壁に亘って当接する第１の当接部と、分岐部の内周面に亘って当接する第２の当接部とを備えているため、不断流状態で、分岐口を両当接部により二重に閉塞することができ、確実な密封状態の下で第２の当接部よりも先方の分岐部を除去できる。
【０００８】
本発明の請求項２に記載の分岐口閉塞手段は、請求項１に記載の分岐口閉塞手段であって、
前記閉塞体は、前記分岐口に係止して前記第１の当接部を位置決めする係止部を備えていることを特徴としている。
この特徴によれば、係止部により第１の当接部を位置決めすることで、前記既設流体管の内壁に周方向に亘って当接させることができ、分岐口を確実に密封状に閉塞することができる。
【００１０】
本発明の請求項３に記載の分岐口閉塞手段は、請求項１または２に記載の分岐口閉塞手段であって、
前記第２の当接部は、設置の際に前記分岐部よりも小径であって、設置の後に外径方向に膨出し前記分岐部の内周面に当接する弾性部材であることを特徴としている。
この特徴によれば、弾性部材である第２の当接部が、閉塞体設置手段による設置の際には分岐部よりも小径であるため、分岐部内に容易に挿入できるばかりか、設置の後に膨出することで第２の当接部が設置方向にずれることなく分岐部の内周面に当接する。
【発明を実施するための最良の形態】
【００１２】
本発明の実施例を以下に説明する。
【実施例】
【００１３】
本発明の実施例を図面に基づいて説明すると、先ず図１（ａ）は、本発明の実施例における既設流体管及び分岐管の接続状態を示す一部断面図であり、（ｂ）は、同じく一部側断面図である。図２（ａ）は、流体管に接続部材を取付けた状態を示す正面図であり、（ｂ）は、同じく側断面図である。図３は、接続部材に穿孔手段を取付ける状況を示す正面図である。図４は、接続部材に穿孔手段を取付けた状態を示す側断面図である。図５は、穿孔手段により流体管を穿孔する状況を示す側断面図である。図６は、接続部材から穿孔手段を取外す状況を示す正面図である。図７は、分岐口をカメラで確認する状況を示す側断面図である。図８は、分岐口を洗浄する状況を示す側断面図である。図９は、位置決め部材で位置決めする状況を示す断面図である。図１０は、接続部材に閉塞体を取付けた状態を示す断面図である。図１１は、閉塞体設置手段により閉塞体を分岐口に設置した状態を示す拡大断面図である。図１２は、閉塞体の両当接部を当接させた状態を示す拡大断面図である。図１３は、分岐管の所定箇所切除して閉止板を取付けた状態を示す断面図である。図１４は、接続部材に中蓋を設置する状況を示す側断面図である。図１５は、接続部材に上蓋を設置した状態を示す側断面図である。
【００１４】
図１（ａ）、（ｂ）に示されるように、既設流体管１（以下、単に流体管１と表記する。）が管軸方向に延びるとともに、流体管１の下端に形成された分岐口１ａを介して分岐部としての分岐管２が流体管１から分岐し延設されており、流体管１の管内及び分岐管２の管内には、流体としてガスが流通している。
【００１５】
流体管１は、管軸に直交する断面形状が略円形状の比較的大径の円筒形状であって、流体管１の鉛直方向下端部に略円形の分岐口１ａが形成され、分岐口１ａと略同径の略円形状の断面形状を備えた分岐管２が鉛直下方に向けて延設されている。
【００１６】
流体管１から分岐管２が分岐している分岐箇所について詳述すると、略円筒状の分岐管２の先端面２ａが分岐口１ａを介し流体管１の内壁１ｂと略面一の状態で、流体管１と分岐管２とが分岐口１ａに沿った溶接により固定に接続されており、流体管１の内部においては、分岐口１ａに沿って流体管１の内壁１ｂに略面一に溶接部Ｗが形成されている。
【００１７】
以下、不断流状態において分岐口１ａを閉塞し、分岐管２を除去する工程について順に説明する。
【００１８】
図１（ａ）、（ｂ）に示されるように、分岐管２における所定箇所の外壁に、短管４及びバルブ５を介し穿孔機６を密封状に取り付け、分岐管２を穿孔する。具体的には、短管４の端部と分岐管２の外壁とを溶接により固定に接続した後に、バルブ５の開状態で穿孔機６内部の図示しない穿孔カッタにより、短管４内における分岐管２の外壁を穿孔する。穿孔後はバルブ５を閉状態とし、穿孔機６は取外しておく。
【００１９】
次に、図２（ａ）、（ｂ）に示されるように、取付工程について説明すると、分岐口１ａに対し流体管１の管軸を挟んで対向するように、流体管１の鉛直方向上端の外壁１ｃに、接続部材１０を密封状に取り付ける。接続部材１０は、後述のように流体管１に連通する円筒状の筒状部１１と、この筒状部１１の上側に接続し筒状部１１を開閉可能な弁体を有する開閉部１２とから構成されている。筒状部１１の下端部は流体管１の外面に沿った曲面に形成されており、この下端部と流体管の外面とを溶接により固定に接続する。筒状部１１と開閉部１２とは、両部間に介在した図示しないパッキンにより密封状に接続されている。尚、接続部材は、必ずしも流体管と溶接により接続されるものに限られず、例えば接続部材は、各々がシール材を介して接続される分割構造を有し、流体管の周囲を密封状に囲繞するものであってもよい。
【００２０】
図３に示されるように、流体管１の管壁を穿孔する穿孔手段１３を、接続部材１０の開閉部１２に接続する。穿孔手段１３は、筒状部１１と略同径の胴部１４内に配置され下端に穿孔刃１５ａを備えた円筒状のカッタドリル１５と、軸部１５ｃを介してカッタドリル１５を軸方向に移動させ、且つ周方向に回転させる駆動部１６と、から主として構成されており、穿孔手段１３の胴部１４と接続部材１０の開閉部１２とは、両部間に介在した図示しないパッキンにより密封状に接続されている。
【００２１】
次に、図４及び図５に示されるように、穿孔工程について説明すると、接続部材１０の開閉部１２を開状態にして、先ず図示しない窒素等の置換ガス注入手段により、接続部材１０内の空気中の酸素を窒素等の置換ガスに置換し、後述する穿孔による引火の虞などを回避する。尚、本実施例における他の各工程についても、適宜必要に応じ、接続部材１０内等の空気中の酸素を置換ガスに置換する。次に、駆動部１６によりカッタドリル１５を図示下方に移動させるとともに周方向に回転させ、筒状部１１内の流体管１の外壁１ｃを穿孔する。カッタドリル１５の穿孔刃１５ａが流体管１の外壁１ｃを貫通することで穿孔部１ｄが形成され、穿孔部１ｄを通じて流体管１内のガスが接続部材１０の筒状部１１、開閉部１２、そして穿孔手段１３の胴部１４内に漏出するが、上述したように各部同士は密封状に接続されているため、ガスが各部の外部に漏出することはない。
【００２２】
カッタドリル１５の穿孔刃１５ａが周方向に亘って流体管１の外壁１ｃを穿孔することで、流体管１に分岐口１ａと略同軸上にカッタドリル１５と略同径の穿孔部１ｄが形成される。カッタドリル１５の穿孔により流体管１と分断された切断片Ｐは、カッタドリル１５の回転軸の下端側に設けられた係止片１５ｂにより係止され、駆動部１６によるカッタドリル１５の上方移動とともに上方に移動する。そして、開閉部１２を閉状態として、図６に示されるように、開閉部１２と穿孔手段１３の胴部１４との接続を取外し、穿孔手段１３とともに切断片Ｐを撤去する。
【００２３】
図７に示されるように、穿孔手段１３を取外した後の開閉部１２に、中央に小孔１７ａを有する蓋部１７を密封状に取付け、この小孔１７ａを貫通する棒状体１８の先端に設けられたカメラ２０により、流体管１内の分岐口１ａの周辺、より具体的には、分岐口１ａの周方向に形成された溶接部Ｗの状態を観察する。カメラ２０で撮られた画像情報は、有線で接続部材１０の外部の表示モニタ２１に送られ、この表示モニタ２１で観察することができる。蓋部１７の小孔１７ａの上側には、弾性を有する筒状体１９が小孔１７ａに略同軸に密封状に取り付けられ、密封状を維持したまま筒状体１９を貫通した棒状体１８を、小孔１７ａ近傍を中心として所望に傾けることが可能なため、カメラ２０を分岐口１ａの周方向に沿って移動して観察できる。小孔１７ａの左右両側に設けられた目視孔１７ｂにより、カメラ２０の位置を目視確認しながら棒状体１８の傾きを調整する。
【００２４】
次に、図８に示されるように、上述したカメラ２０を設けた棒状体１８に換えて、先端に洗浄ノズル２３が設けられた管状体２２を蓋部１７の小孔１７ａに貫通し、洗浄機本体２４から供給される高圧洗浄水を、管状体２２内部を介し洗浄ノズル２３から放出し、カメラで確認した溶接部Ｗやその周辺を洗浄する。上記と同様に、密封状を維持したまま筒状体１９に貫通した管状体２２を、小孔１７ａ近傍を中心として所望に傾けることが可能なため、目視孔１７ｂにより、洗浄ノズル２３の位置を目視確認しながら管状体２２の傾きを調整しながら、洗浄ノズル２３を分岐口１ａの周方向に沿って移動して洗浄できる。洗浄後は、管状体２２を引き上げて開閉部１２を閉状態とし、管状体２２を撤去する。
【００２５】
尚、特に図示しないが、洗浄を終了した後に、洗浄ノズル２３を設けた管状体２２に換えて、再び図７に示されるように、カメラ２０を設けた棒状体１８を小孔１７ａに貫通し、洗浄後の溶接部の状態を観察し確認してもよい。確認後は、棒状体１８を引き上げて開閉部１２を閉状態とし、棒状体１８を撤去する。
【００２６】
次に、図９に示されるように、閉塞工程について説明すると、閉状態の開閉部１２の上側に、内空状の胴部２６を接続するとともに、この胴部２６の上端を被覆し上下方向に貫通する中央孔２７ａを有する蓋部２７を、分岐口１ａに対し位置決めした状態で胴部２６に接続する。詳述すると、蓋部２７の中央孔２７ａを貫通した位置決め部材２８を蓋部２７に対し垂直下方に下ろす。位置決め部材２８の先端には、分岐口１ａと略同径の円形状の先端部２８ａが形成されている。蓋部２７の点検孔２７ｂを介して位置決め部材２８の先端部２８ａを目視確認しながら、蓋部２７の胴部２６に対する位置を適宜ずらすことにより、分岐口１ａに対する先端部２８ａの相対位置を調整する。このようにすることで、蓋部２７の中央孔２７ａを分岐口１ａに対し同軸上に配置することができる。
【００２７】
そして、蓋部２７を同軸上に配置し、胴部２６に対する蓋部２７の相対位置をマーキングした後、一旦蓋部２７を開放して、図１０に示されるように、胴部２６の内部に後述のように分岐口１ａを閉塞する閉塞体３０を配置する。
【００２８】
次に、蓋部２７を、前記マーキングした箇所において胴部２６にボルトナット２９により締結する。開閉部１２と胴部２６との間、そして胴部２６と蓋部２７との間は、図示しないパッキンにより密封状に接続されている。閉塞体３０の上端に接続された閉塞体設置手段としての棒状体４１が、胴部２６の上面に形成された中央孔２７ａを密封状に貫通し上方に延びている。
【００２９】
図１０に示されるように、閉塞体３０について詳述すると、閉塞体３０は、棒状体４１と一体に構成され分岐管２の内方に挿入される先方部材４２と、棒状体４１に嵌挿され先方部材４２とともに分岐管２の内方に挿入される中間部材４３と、棒状体４１に嵌挿され分岐口１ａ周囲の流体管１の内壁１ｂに設置される後方部材４４と、から主として成る。図１１に示されるように、棒状体４１は雄ネジが形成され、中間部材４３の筒状部４３ｂに螺合しており、さらに筒状部４３ｂは、後方部材４４の外筒部４４ａに嵌挿されている。棒状体４１の上方には、閉塞体３０の吊持用の吊持部材４８が着脱可能に接続されている。各部材４２，４３，４４は、棒状体４１を中心として径方向に略均等に、すなわち図示しないが平面視略円形状を成している。
【００３０】
後方部材４４の下面には、分岐口１ａ周囲の流体管１の内壁１ｂに沿って当接する第１の当接部４５が設けられている。第１の当接部４５は、弾性部材から成り、分岐口１ａよりも大径、すなわち溶接部Ｗよりも外周側において環状に形成されている。
【００３１】
また、先方部材４２における分岐管２の内周面２ｃに対向する対向面４２ａ、及び上方を向く上向面４２ｂ、そして中間部材４３における下方を向く下向面４３ａにより、嵌合凹部Ｋが分岐管２の周方向に沿って形成され、この嵌合凹部Ｋ内に、後述のように分岐管２の内周面２ｃに亘って当接する第２の当接部４６が嵌合されている。第２の当接部４６は、弾性部材から成り、図に示される分岐口１ａへの設置前において、分岐管２の内径よりも小径の環状に形成されている。
【００３２】
さらに、中間部材４３における流体管１の管軸方向の上下流側２箇所には、上下に延びる係止体４７が固定されており、この係止体４７の上端に位置する係止部４７ａが外径方向に分岐口１ａよりも大径に延設され、後述のように分岐口１ａに係止するように成っている。
【００３３】
図１０に示される開閉部１２を開状態とし、蓋部２７の中央孔２７ａを貫通した棒状体４１を略鉛直下方に向けて押し込むことで、上記した各部材４２，４３，４４から成る閉塞体３０を下方移動し、図１１に示されるように、分岐口１ａに設置する。上述したように、蓋部２７の中央孔２７ａと分岐口１ａとが略同軸に配置されているため、中央孔２７ａを貫通した棒状体４１を中心として径方向に略均等に形成された閉塞体３０は、分岐口１ａに対しずれることなく被覆する。
【００３４】
より詳しくは、先方部材４２及び中間部材４３が、分岐口１ａを介し分岐管２の内方に進入し、中間部材４３に設けられた係止体４７の係止部４７ａが分岐口１ａに係止した位置で、閉塞体３０の下方移動が規制され、設置が完了する。尚、閉塞体３０の設置については、点検孔２７ｂを介して目視確認しながら棒状体４１を押し込むことで、確実に設置することができる。
【００３５】
閉塞体３０の設置とともに、中間部材４３の上端に設けられているフランジ４３ｃを蓋部２７から立設された立設部２７ｃに接続し、また後方部材４４の上端に設けられているフランジ４４ｂを閉塞体設置手段としてのボルトナット４９により蓋部２７に接続する。
【００３６】
上述したように、接続部材１０が、分岐口１ａに流体管１の管軸を挟んで対向する所定箇所に接続されていることで、穿孔部１ｄと分岐口１ａとを略同軸に形成できるため、棒状体４１を同軸上に配置し直線的に延ばして閉塞体３０を分岐口１ａに設置し易い。
【００３７】
閉塞体３０の設置完了後、図に示されるように、後方部材４４の第１の当接部４５が、分岐口１ａ及び分岐口１ａの周囲に形成された溶接部Ｗの外側を覆う位置において、閉塞体設置手段を構成するボルトナット４９により、後方部材４４を、先方部材４２及び中間部材に対し下方に押圧し、後方部材４４の下面に設けられた第１の当接部４５を流体管１の内壁１ｂに密封状に当接させる。
【００３８】
このように、係止部４７ａで閉塞体３０を係止させた状態で後方部材４４を下方に押圧することで、係止部４７ａにより第１の当接部４５を位置決めして、流体管１の内壁１ｂに周方向に亘って当接させることができ、分岐口１ａを確実に密封状に閉塞することができる。尚、係止体の固定箇所は、必ずしも上記した中間部材４３における流体管１の管軸方向の上下流側２箇所に限られないが、本実施例のように係止部４７ａが、中間部材４３における流体管１の管軸方向の上下流側２箇所、すなわち流体管１の断面視でもっとも高さ位置の低い２箇所において固定されていることで、第１の当接部４５を安定的に位置決めすることができる。
【００３９】
また、第１の当接部４５が、流体管１と分岐管２との溶接接続で溶接部Ｗよりも外周側に設けられているため、溶接部Ｗに接触することで流体が漏出してしまう虞を回避できる効果を有する。特に溶接部は、流体管の内壁に対し凹凸形状に形成されている場合に流体が漏出し易くなるため、上記効果が大となる。
【００４０】
次に、上記した棒状体４１に接続されていた吊持部材を取外し、蓋部２７の上方に突出している棒状体４１の上端４１ａを回動工具Ｒにより回動操作し、棒状体４１と一体に構成される先方部材４２を、中間部材４３及び後方部材４４に対し回動して上方に移動させ、嵌合凹部Ｋを構成する先方部材４２の上向面４２ｂと中間部材４３の下向面４３ａとの間隙を狭め、第２の当接部４６を上下の面４２ｂ，４３ａ間で挟圧する。
【００４１】
図１２に示されるように、弾性部材から成る第２の当接部４６は、外径方向に膨出し、分岐管２の内周面２ｃに亘って密接する。このように、弾性部材である第２の当接部４６が棒状体４１による設置の際には分岐管２よりも小径であるため、分岐管２内に容易に挿入できるばかりか、設置の後に径方向に膨出することで、第２の当接部４６が設置方向、すなわち上下方向にずれることなく分岐管２の内周面２ｃに当接する。
【００４２】
尚、両当接部４５，４６を当接させる順序は、上記順序に限られず、第２の当接部４６を分岐管２の内周面２ｃに当接させた後に、第１の当接部４５を流体管１の内壁１ｂに当接させるようにしてもよい。
【００４３】
次に、流体管１の内部において閉塞体３０の両当接部４５，４６により分岐口１ａを二重に閉塞した状況下で図１（ｂ）等で示したバルブ５を開状態とし、ガスの流出状況、すなわち分岐管２内に残存する量のガスのみがバルブ５を介して流出し、残存量以上は流出しない状況を見ることで、分岐口１ａが密封状に閉塞されていることを確認する。
【００４４】
そして、図１３に示されるように、分岐管２における第２の当接部４６よりも先方の所望の箇所、本実施例では比較的流体管１寄りの所定箇所において分岐管２を切断により除去し、切断箇所に閉止板２ｂを密封状に接続する。
【００４５】
このようにすることで、接続部材１０に取付けられる閉塞体設置手段としての棒状体４１により穿孔部１ｄを通じ流体管１内部の分岐口１ａに設置される閉塞体３０が、分岐口１ａ周囲の流体管１の内壁に亘って当接する第１の当接部４５と、分岐管２の内周面に亘って当接する第２の当接部４６とを備えているため、不断流状態で、分岐口１ａを両当接部４５，４６により二重に閉塞することができ、確実な密封状態の下で第２の当接部４６よりも先方の分岐管２を除去できる。
【００４６】
次に、棒状体４１とともに閉塞体３０を上方に引き上げて開閉部１２を閉状態とし、閉塞体３０、棒状体４１、蓋部２７、そして胴部２６を撤去する。そして、図１４左側に示されるように、開閉部１２の上側に、内空状の筒胴部３３を接続するとともに、この筒胴部３３の内部に中蓋３７を配置して、筒胴部３３に中蓋設置装置３４を接続する。開閉部１２と筒胴部３３とは、両部間に介在した図示しないパッキンにより密封状に接続されている。中蓋設置装置３４は、中蓋３７を着脱可能に係合した軸部３６と、この軸部３６を軸方向に移動させる駆動部３５と、から主として構成されており、筒胴部３３と中蓋設置装置３４とは、上述と同様に図示しないパッキンにより密封状に接続されている。中蓋３７は、接続部材１０の筒状部１１の内径と略同径の外径を有する円板状に形成され、周面に亘ってシール部材３８が設けられている。
【００４７】
図１４右側及び囲い部に示されるように、中蓋設置装置３４により下方に移動した中蓋３７は、筒状部１１の内周面に内径方向に突出した突出部１１ａ上に当接した位置で位置決めされる。次に、筒状部１１の外周面に径方向に設けられた係止ネジ９のネジ蓋９ａを取外して、ネジ筒９ｃ内に配置されたネジ部９ｂを内径方向に螺入し、ネジ部９ｂの先端と突出部１１ａとの間で中蓋３７を挟持する。中蓋３７の周面に設けられたシール部材３８が筒状部１１の内周面１１ｂに亘って密接しているため、流体管１内のガスが中蓋３７よりも上方に流出してしまうことなくシールされる。そして、中蓋３７を残し、中蓋３７との係合を解除した軸部３６を上方に引き上げ、中蓋設置装置３４を筒胴部３３とともに取外し、続いて接続部材１０の開閉部１２を筒状部１１から取外す。
【００４８】
最後に、図１５に示されるように、筒状部１１の上端に上蓋４０を被覆して周方向に亘って溶接接続を行うことで、中蓋３７と上蓋４０とで筒状部１１内を二重に密封状にシールする。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、上記実施例では、流体管１及び分岐管２内部を流通する流体としてガスが示されているが、流体は、例えば上下水道などの液体であってもよく、若しくは気液混合した流体であってもかまわない。
【００５１】
また例えば、上記実施例では、流体管１から下方に向けて延設される分岐管２が、分岐口１ａにおいて溶接接続され、流体管１の内部において流体管１の内壁１ｂに略面一に溶接部Ｗが形成されているが、流体管の内部における溶接部は、分岐口１ａに沿って凹凸状に形成されていてもよい。また分岐管の分岐方向は、例えば水平方向若しくは上方向等であってもよく、また流体管と分岐管との接続は、例えば鋳造で形成された一体のＴ字管等によるものであってもかまわない。
【００５２】
また例えば、上記実施例では、分岐口１ａに流体管１の管軸を挟んで対向する箇所を穿孔して穿孔部１ｄを形成しているが、流体管を穿孔する箇所は、例えば分岐口近傍の所定箇所であってもよい。
【図面の簡単な説明】
【００５３】
【図１】（ａ）は、本発明の実施例における既設流体管及び分岐管の接続状態を示す一部断面図であり、（ｂ）は、同じく一部側断面図である。
【図２】（ａ）は、流体管に接続部材を取付けた状態を示す正面図であり、（ｂ）は、同じく側断面図である。
【図３】接続部材に穿孔手段を取付ける状況を示す正面図である。
【図４】接続部材に穿孔手段を取付けた状態を示す側断面図である。
【図５】穿孔手段により流体管を穿孔する状況を示す側断面図である。
【図６】接続部材から穿孔手段を取外す状況を示す正面図である。
【図７】分岐口をカメラで確認する状況を示す側断面図である。
【図８】分岐口を洗浄する状況を示す側断面図である。
【図９】位置決め部材で位置決めする状況を示す断面図である。
【図１０】接続部材に閉塞体を取付けた状態を示す断面図である。
【図１１】閉塞体を分岐口に設置した状態を示す拡大断面図である。
【図１２】閉塞体の両当接部を当接させた状態を示す拡大断面図である。
【図１３】分岐管の所定箇所切除して閉止板を取付けた状態を示す断面図である。
【図１４】接続部材に中蓋を設置する状況を示す側断面図である。
【図１５】接続部材に上蓋を設置した状態を示す側断面図である。
【符号の説明】
【００５４】
１                流体管（既設流体管）
１ａ              分岐口
１ｂ              内壁
１ｄ              穿孔部
２                分岐管（分岐部）
２ｃ              内周面
１０              接続部材
１１              筒状部
１２              開閉部
１３              穿孔手段
１５              カッタドリル
２６              胴部
２７              蓋部
３０              閉塞体
４１              棒状体（閉塞体設置手段）
４２              先方部材
４３              中間部材
４４              後方部材
４５              第１の当接部
４６              第２の当接部
４７ａ            係止部
４９              ボルトナット（閉塞体設置手段）
【図１】
0005346485.tif 000002
【図２】
0005346485.tif 000003
【図３】
0005346485.tif 000004
【図４】
0005346485.tif 000005
【図５】
0005346485.tif 000006
【図６】
0005346485.tif 000007
【図７】
0005346485.tif 000008
【図８】
0005346485.tif 000009
【図９】
0005346485.tif 000010
【図１０】
0005346485.tif 000011
【図１１】
0005346485.tif 000012
【図１２】
0005346485.tif 000013
【図１３】
0005346485.tif 000014
【図１４】
0005346485.tif 000015
【図１５】
0005346485.tif 000016